(57)【要約】【課題】  足踏部からの指の滑べり抜けを確実に予防し且つ確実な把持ができると共に、足踏部の内側面の二辺の交差部に合成樹脂のエッジが形成されないような昇降時に安全な昇降用足掛具の足踏部構造を提供する。【解決手段】  芯金４とそれを覆う合成樹脂５とから成る平面視コ字状の昇降用足掛具の足踏部２において、該足踏部の断面形状を略六角形状とし、該略六角形状の足踏部の両側面で、内側の側面９の垂直線に対する傾斜角αが外側の側面１２の垂直線に対する傾斜角βよりも大きくなり且つ内側の側面の上面６及び底面７から延びる傾斜面の交差部を切欠きし垂直面１３が形成され、足掛具の昇降時における把持部とした昇降用足掛具の足踏部構造。【選択図】        図３
2005207095.tif 000002
【特許請求の範囲】
【請求項１】
芯金とそれを覆う合成樹脂とから成る平面視コ字状の昇降用足掛具の足踏部において、該足踏部の断面形状を略六角形状とし、該略六角形状の足踏部の両側面で、内側の側面の垂直線に対する傾斜角を外側の側面の垂直線に対する傾斜角よりも大きくし且つ内側の側面の上面及び底面から延びる傾斜面の交差部を切欠きし垂直面を形成し、足掛具の昇降時における把持部としたことを特徴とする昇降用足掛具の足踏部構造。
【請求項２】
前記足踏部の底面の軸線方向に表面に凹凸のある波形を形成したことを特徴とする請求項１記載の昇降用足掛具の足踏部構造。
【発明の詳細な説明】
【技術分野】
【０００１】
本発明は、マンホ―ル管内や護岸等のあらゆる外壁へ取付が可能な昇降用足掛具の足踏部構造に関するものである。
【背景技術】
【０００２】
従来，芯金とそれを覆う合成樹脂とから成る平面視コ字状の昇降用足掛具の足踏部において、その足踏部の断面形状を略六角形状とし、その内側面に波形模様を形成して足踏部の把持時の滑べり止め用とした昇降用足掛具の足踏部構造がある（例えば特許文献１参照。）。
【０００３】
【特許文献１】特許第２９５１９１６号公報  図３
【発明の開示】
【発明が解決しようとする課題】
【０００４】
ところで、前記従来の技術では、足踏部の把持時の滑べり止め用としては内側面に形成した波形模様のみであり、他の側面及び底面には滑べり止め用としては何等の考慮も払われていないばかりでなく、前記内側面の波形模様では指の横滑べりは予防できるが、最も必要とする足踏部からの指の滑べり抜けに対しては格別の効力を発揮できないと共に、足踏部の断面形状を略六角形状とし、該足踏部の内側面を前記六角形状の二辺で構成しているのでその交差部が合成樹脂のエッジが形成され易い、という虞がある。
【０００５】
本発明は、従来の技術の有するこのような問題点に鑑みてなされたものであり、その目的とするところは、足踏部からの指の滑べり抜けを確実に予防し且つ確実な把持ができると共に、足踏部の内側面の二辺の交差部に合成樹脂のエッジが形成されないような昇降時に安全な昇降用足掛具の足踏部構造を提供しようとするものである。
【課題を解決するための手段】
【０００６】
上記目的を達成するために、本発明における昇降用足掛具の足踏部構造は、芯金とそれを覆う合成樹脂とから成る平面視コ字状の昇降用足掛具の足踏部において、該足踏部の断面形状を略六角形状とし、該略六角形状の足踏部の両側面で、内側の側面の垂直線に対する傾斜角を外側の側面の垂直線に対する傾斜角よりも大きくし且つ内側の側面の上面及び底面から延びる傾斜面の交差部を切欠きし垂直面を形成し、足掛具の昇降時における把持部としたことを特徴とするものである。
【０００７】
また、前記足踏部の底面の軸線方向に表面に凹凸のある波形を形成したことを特徴とするものである。
【発明の効果】
【０００８】
以上のように、足踏部の両側面で、内側の側面の垂直線に対する傾斜角を外側の側面の垂直線に対する傾斜角よりも大きくした場合には、指や掌が確実に足踏部にフィットして、足踏部の両側面に階段状の複数の突起と昇降者の指の滑べり抜けが確実に予防されると共に、内側の側面の上面及び底面から延びる傾斜面の交差部を切欠きし垂直面を形成することにより、交差部に合成樹脂のエッジが形成されないような確実安全で昇降が可能な昇降用足掛具の足踏部構造となる。
【０００９】
更に、底面の軸線方向に表面に凹凸のある波形を形成することにより、より確実安全な昇降が可能な昇降用足掛具の足踏部構造となる。
【発明を実施するための最良の形態】
【００１０】
本発明は昇降用足掛具の足踏部を昇降者が手で握って安全に昇降する足踏部構造である。
【実施例１】
【００１１】
図１ないし図３は本発明に係る昇降用足掛具の足踏部構造の一の実施例に関するものであり、図１はその足踏部構造を適用した昇降用足掛具の一部平面図、図２は図１の正面図、図３は図１のＡ―Ａ断面図を示すものである。
【００１２】
図において、１はマンホ―ル管内や護岸や地下室等の外壁へ取付が可能な昇降用足掛具であり、該足掛具１は、足踏部２とその両端から直角に折れて延びる側部３，３と各側部３からさらに延びて壁面（図示せず）に取付られる取付部（図示せず）とからなり、平面視でコ字状の芯金４とそれを覆う合成樹脂５の被覆部で構成されている。
【００１３】
前記足踏部２の上面６及び底面７には例えばＸ文字状の滑べり止め模様８，８…が前記合成樹脂５の被覆部と一体に形成されている。また、足踏部２の上面６及び底面７は、その軸線方向の中心Ｓから両側部３，３にかけて１度ないし５度の角度で傾斜して形成され、足踏部２の内側面９には指の横滑べりを予防する波形模様１０が側面の軸線方向に形成されている。また、足踏部２と両側部３，３のコーナーには反射体１１，１１が取り付けられている。
【００１４】
また、前記足踏部２の断面形状は図３に示すように略六角形状とされ、その上面６と底面７は水平に形成され、内側面９および外側面１２はそれぞれ前記六角形の二辺で構成されている。そして前記内側面９の垂直線に対する傾斜角度α（例えば１５度）を外側面１２の垂直線に対する傾斜角度β（例えば１０度）より大きくしている。
【００１５】
また、前記内側面９の上面６及び底面７から延びる傾斜面の交差部を切欠きし垂直面１３が足踏部２の軸線方向に沿って形成されている。
なお、外側面１２の上面６及び底面７から延びる傾斜面の交差部も切欠きし垂直面１４を足踏部２の軸線方向に沿って形成することも可能である。
【００１６】
以上のような足踏部２を備えた昇降用足掛具１を適宜の外壁に複数個上下に取付けてこれら昇降用足掛具１，１…を利用して昇降者が上下行をする際に、昇降者は下部の昇降用足掛具１の足踏部２に足を乗せ、上部の昇降用足掛具１の足踏部２を手で握りしめながら昇降動作を行うが、足を乗せた足踏部２では該足踏部２の上面に形成された滑べり止め模様８，８…によって足の滑べりが防止され、手で握りしめた上部の昇降用足掛具１の足踏部２では昇降者の指が内側面９に形成された波形模様１０にフィットし、さらに足踏部２の内側面９および外側面１２はそれぞれ前記六角形の二辺で構成され、その内側面９の垂直線に対する傾斜角度α（例えば１５度）を外側面１２の垂直線に対する傾斜角度β（例えば１０度）より大きくしているので、昇降者がその昇降時に足踏部２を把持する際に、その握り方向が上向き或は下向きに拘らず指や掌が確実に足踏部２にフィットして足踏部２の把持時の滑べり止め作用を充分に行うことができる。
また、足踏部２の内側面９の上面及び底面から延びる傾斜面の交差部に切欠きし垂直面１３を足踏部２の軸線方向に沿って形成することにより、交差部に合成樹脂のエッジが形成されないような安全な昇降用足掛具１の足踏部構造となる。
【実施例２】
【００１７】
図４ないし図６は本発明に係る昇降用足掛具の足踏部構造の他の実施例に関するものであり、図４はその足踏部構造を適用した昇降用足掛具の一部平面図、図５は図４の正面図、図６は図４のＢ―Ｂ断面図を示すものである。
【００１８】
図において、前記足踏部２の両端近傍で前記側部３より内側で前記滑り止め模様８を挟んで間には目立ち易い例えば三角形状の反射体１５，１５が取り付けられている。
また、足踏部２の底面７の軸線方向に表面に複数の凹凸１６のある波形１７が形成されている。
そして、その他の構成は実施例１と実質的に同一であるので同一符号を付してその説明を省略するものである。
【００１９】
そしてこの実施例の場合には、足踏部２の底面７にも表面に複数の凹凸１６のある波形１７の握り部を形成することにより、より確実・安全な昇降が可能な昇降用足掛具１の足踏部構造となる。
【図面の簡単な説明】
【００２０】
【図１】本発明の一の実施例に係る足踏部構造を適用した昇降用足掛具の一部平面図である。
【図２】図１の正面図である。
【図３】図１のＡ―Ａ断面図である。
【図４】本発明の他の実施例に係る足踏部構造を適用した昇降用足掛具の一部平面図である。
【図５】図４の正面図である。
【図６】図４のＢ―Ｂ断面図である。
【符号の説明】
【００２１】
１              昇降用足掛具
２              足踏部
３              側部
４              芯金
５              合成樹脂
６              足踏部の上面
７              足踏部の底面
９              足踏部の内側の側面
１２            足踏部の外側の側面
１３            垂直面
α，β          傾斜角度
１６            凹凸
１７            波形
【図１】
2005207095.tif 000003
【図２】
2005207095.tif 000004
【図３】
2005207095.tif 000005
【図４】
2005207095.tif 000006
【図５】
2005207095.tif 000007
【図６】
2005207095.tif 000008